(57)【要約】【課題】麻酔器と外部機器が併用される場合において麻酔医の負担を軽減する。【解決手段】外部機器である少なくとも一つのシリンジポンプと通信可能な麻酔器の表示装置１２は、麻酔情報表示画面１２１を表示する。呼出スイッチ１４が操作されると、麻酔情報表示画面１２１に加え、シリンジポンプの動作情報を示すシリンジポンプ情報表示画面１２２が表示装置１２に表示される。【選択図】図２
2019111200.tif 000002
【特許請求の範囲】
【請求項１】
少なくとも一つの外部機器と通信可能な通信部と
麻酔情報を示す第一画面を表示する表示装置と、
第一入力操作を受け付ける第一操作受付部と、
を備えており、
前記第一操作受付部が前記第一入力操作を受け付けると、前記第一画面に加え、前記外部機器の動作情報を示す第二画面が前記表示装置に表示される、
麻酔器。
【請求項２】
前記第二画面は、前記第一画面に重畳することなく表示され、前記第一画面のサイズは、前記第二画面が表示される前よりも縮小される、
請求項１に記載の麻酔器。
【請求項３】
第二入力操作を受け付ける第二操作受付部と、
前記外部機器の動作を遠隔制御する操作を受け付ける遠隔操作受付部と、
を備えており、
前記第一入力操作により表示される前記第二画面は、第一のサイズを有しており、
前記第二操作受付部が前記第二入力操作を受け付けると、前記第二画面は、前記第一のサイズよりも大きい第二のサイズに変化し、
前記遠隔操作受付部は、前記第二のサイズを有する前記第二画面内に配置されている、
請求項１または２に記載の麻酔器。
【請求項４】
前記第二のサイズは、前記外部機器が備える表示画面のサイズと同じであり、
前記第二のサイズを有する前記第二画面内の情報レイアウトは、前記外部機器の表示画面の情報レイアウトと同じである、
請求項３に記載の麻酔器。
【請求項５】
前記第一のサイズを有する前記第二画面は、前記第二操作受付部を兼ねる、
請求項３に記載の麻酔器。
【請求項６】
第三入力操作を受け付ける第三操作受付部を備えており、
前記第二画面が前記第二のサイズを有している間に前記第三操作受付部が前記第三入力操作を受け付けた場合、あるいは前記遠隔操作受付部に操作が入力されない時間が所定値に達した場合、前記第二画面は、前記第一のサイズに戻る、
請求項３から５のいずれか一項に記載の麻酔器。
【請求項７】
前記第二のサイズを有する前記第二画面は、前記第三操作受付部を兼ねる、
請求項６に記載の麻酔器。
【請求項８】
前記少なくとも一つの外部機器が上方位置に配置された第一外部機器と下方位置に配置された第二外部機器を含んでいる場合、前記第一外部機器の動作情報を示す第一領域が前記第二画面内の上方位置に表示され、前記第二外部機器の動作情報を示す第二領域が前記第二画面内の下方位置に表示される、
請求項１から７のいずれか一項に記載の麻酔器。
【請求項９】
前記第一操作受付部は、前記第一領域と前記第二領域の一方を選択する選択操作受付部を含んでおり、
前記選択操作受付部によって前記第一領域と前記第二領域の一方が選択されると、当該第一領域と当該第二領域の他方に対応する外部機器の遠隔制御が不能とされる、
請求項８に記載の麻酔器。
【請求項１０】
共通操作スイッチを備えており、
前記選択操作受付部によって前記第一領域が選択されているとき、前記共通操作スイッチは、当該第一領域に対応する外部機器に設けられた操作スイッチと同じ機能を有し、
前記選択操作受付部によって前記第二領域が選択されているとき、前記共通操作スイッチは、当該第二領域に対応する外部機器に設けられた操作スイッチと同じ機能を有する、
請求項９に記載の麻酔器。
【請求項１１】
前記外部機器は、シリンジポンプである、
請求項１から１０のいずれか一項に記載の麻酔器。
【請求項１２】
前記シリンジポンプは、静脈麻酔薬の投与器である、
請求項１１に記載の麻酔器。
【発明の詳細な説明】
【技術分野】
【０００１】
本開示は、麻酔器に関する。本開示において「麻酔器」とは、吸入麻酔薬を患者に投与するための装置を意味する。
【背景技術】
【０００２】
特許文献１は、そのような麻酔器の一例を開示している。当該麻酔器は、気化装置を備えている。例えば手術中において、吸入麻酔薬は気化装置によって気化され、麻酔ガスとして患者に投与される。
【０００３】
麻酔器は、表示装置を備えていることが一般的である。表示装置には、麻酔ガスの濃度や患者の生体情報などが表示される。麻酔医は、表示装置に表示される情報を参照しつつ、患者の麻酔状態を管理する。
【先行技術文献】
【特許文献】
【０００４】
【特許文献１】特開２０１６−１３１７７８号公報
【発明の概要】
【発明が解決しようとする課題】
【０００５】
手術中においては、上記の麻酔器に加えて、シリンジポンプなどの外部機器を用いた麻酔管理や輸液管理がなされる場合がある。シリンジポンプは、シリンジ（静脈注射など）を介して所定量の薬液を患者の体内に投与するための装置である。当該薬液には、静脈麻酔薬が含まれる。
【０００６】
そのような外部機器もまた、表示装置を備えていることが一般的である。表示装置には、薬液の投与量や患者の生体情報などが表示される。麻酔医は、表示装置に表示される情報を参照しつつ、患者への輸液管理を行なう。
【０００７】
麻酔器と外部機器が併用される場合、両者は離れた場所に設置されることが一般的である。したがって、麻酔医は両装置の間を行き来しながら患者の状態管理を行なう必要がある。
【０００８】
本開示は、麻酔器と外部機器が併用される場合において麻酔医の負担を軽減することを目的とする。
【課題を解決するための手段】
【０００９】
上記の目的を達成するための本発明の一態様は、麻酔器であって、
少なくとも一つの外部機器と通信可能な通信部と
麻酔情報を示す第一画面を表示する表示装置と、
第一入力操作を受け付ける第一操作受付部と、
を備えており、
前記第一操作受付部が前記第一入力操作を受け付けると、前記第一画面に加え、前記外部機器の動作情報を示す第二画面が前記表示装置に表示される。
【００１０】
このような構成によれば、麻酔器と外部機器が併用される場合において、麻酔医は、麻酔器の表示装置を通じた患者の麻酔管理を行ないつつ、必要に応じて第一操作受付部に第一入力操作を行なうことによって、外部機器の動作状態を確認できる。すなわち、麻酔器による麻酔管理中に外部機器の動作状態を確認するために外部機器の場所まで赴く必要がない。したがって、麻酔医の負担を軽減できる。また、麻酔医の動線を考慮する必要性が低下するので、外部機器の設置場所に係る自由度が高まる。
【００１１】
第二画面は、麻酔器の表示装置に常時表示されているのではなく、第一操作受付部が第一入力操作を受け付けた場合のみ表示される。したがって、第二画面の表示は、第一画面を通じた麻酔管理の妨げにならない。この点においても、麻酔器と外部機器が併用される場合における麻酔医の負担を軽減できる。
【図面の簡単な説明】
【００１２】
【図１】一実施形態に係る麻酔器の構成を模式的に示している。
【図２】上記の麻酔器における表示装置の状態遷移の一例を示している。
【図３】上記の表示装置の状態遷移の別例を示している。
【図４】上記の表示装置の状態遷移の別例を示している。
【発明を実施するための形態】
【００１３】
添付の図面を参照しつつ、実施形態の例を以下詳細に説明する。図１は、一実施形態に係る麻酔器１の構成を模式的に示している。
【００１４】
麻酔器１は、患者Ｐに吸入麻酔薬を投与するための装置である。麻酔器１は、気化装置１１を備えている。吸入麻酔薬が常温で液体である場合、当該吸入麻酔薬は、気化装置１１により気化され、麻酔ガスとして患者Ｐへ投与される。
【００１５】
麻酔器１は、表示装置１２を備えている。図２の（Ａ）に示されるように、表示装置１２は、麻酔情報表示画面１２１を表示するための装置である。
【００１６】
麻酔情報表示画面１２１には、吸入麻酔薬の濃度や投与量を示す数値情報、吸入麻酔薬の濃度や投与量の経時変化を示すトレンドグラフ、患者Ｐの生体情報を示す数値情報などが表示されうる。生体情報としては、心拍数、血圧、動脈血酸素飽和度などが例示されうる。麻酔情報表示画面１２１は、患者Ｐと麻酔器１の少なくとも一方における異常を報知するための表示領域も含みうる。麻酔医は、麻酔情報表示画面１２１を参照しつつ、患者の麻酔状態を管理する。麻酔情報表示画面１２１は、第一画面の一例である。
【００１７】
図１に示されるように、麻酔器１は、通信部１３を備えている。通信部１３は、少なくとも一つのシリンジポンプ２との通信を可能にするインターフェースを備えている。
【００１８】
シリンジポンプ２は、シリンジ（静脈注射など）を介して所定量の薬液を患者Ｐの体内に投与するための装置である。シリンジポンプ２は、外部機器の一例である。シリンジポンプ２は、シリンジ２１を備えている。患者Ｐへ送られる薬液の量は、不図示の駆動装置によりシリンジ２１が駆動されることによって調節される。
【００１９】
シリンジポンプ２と通信部１３の間の通信は、有線通信により行なわれてもよいし、無線通信により行なわれてもよい。シリンジポンプ２と通信部１３の間の接続は、直接的になされてもよいし、少なくとも一つの中継ユニットを介して間接的になされてもよい。
【００２０】
シリンジポンプ２は、表示装置２２を備えている。表示装置２２は、シリンジポンプ２の動作情報を表示する動作情報表示画面を表示する装置である。動作情報表示画面には、薬液の投与速度、投与量、累積投与量などを示す数値情報が表示されうる。動作情報表示画面は、シリンジポンプ２と患者Ｐの少なくとも一方の異常を報知するための表示領域も含みうる。麻酔医は、表示装置２２に表示される情報を参照しつつ、患者Ｐへの輸液管理を行ないうる。
【００２１】
麻酔器１は、呼出スイッチ１４を備えている。呼出スイッチ１４は、押下操作を受け付けるハードウェアスイッチである。図２の（Ａ）に示されるように表示装置１２に麻酔情報表示画面１２１が表示された状態で呼出スイッチ１４が押下されると、図２の（Ｂ）に示されるように、麻酔情報表示画面１２１に加えてシリンジポンプ情報表示画面１２２が、表示装置１２に表示される。呼出スイッチ１４は、第一操作受付部の一例である。呼出スイッチ１４の押下操作は、第一入力操作の一例である。
【００２２】
シリンジポンプ情報表示画面１２２は、シリンジポンプ２の表示装置２２に表示される動作表示画面に含まれる情報の少なくとも一部を含んでいる。すなわち、シリンジポンプ情報表示画面１２２は、シリンジポンプ２の動作情報を示す。シリンジポンプ情報表示画面１２２は、第二画面の一例である。
【００２３】
具体的には、麻酔器１は、シリンジポンプ２の動作表示画面に表示される情報に対応するデータを、通信部１３を通じてシリンジポンプ２から取得する。当該データは、不図示のプロセッサなどにより処理され、シリンジポンプ情報表示画面１２２において可視化される。
【００２４】
このような構成によれば、麻酔器１とシリンジポンプ２が併用される場合において、麻酔医は、麻酔器１の表示装置１２を通じた患者Ｐの麻酔管理を行ないつつ、必要に応じて呼出スイッチ１４を操作することによって、シリンジポンプ２の動作状態を確認できる。すなわち、麻酔器１による麻酔管理中にシリンジポンプ２の動作状態を確認するために表示装置２２の場所まで赴く必要がない。したがって、麻酔医の負担を軽減できる。また、麻酔医の動線を考慮する必要性が低下するので、シリンジポンプ２の設置場所に係る自由度が高まる。
【００２５】
シリンジポンプ情報表示画面１２２は、麻酔器１の表示装置１２に常時表示されているのではなく、呼出スイッチ１４の操作によってのみ表示される。したがって、シリンジポンプ情報表示画面１２２の表示は、麻酔情報表示画面１２１を通じた麻酔管理の妨げにならない。この点においても、麻酔器１とシリンジポンプ２が併用される場合における麻酔医の負担を軽減できる。
【００２６】
表示装置１２がタッチパネルを備えている場合、呼出スイッチ１４は、表示装置１２に表示されるタッチ操作可能なスイッチ画像として提供されうる。この場合、当該スイッチ画像が第一操作受付部の一例であり、スイッチ画像のタッチ操作は第一入力操作の一例である。シリンジポンプ情報表示画面１２２の表示は、所定の第一フレーズを音声入力することによってなされてもよい。この場合、音声入力を受け付ける構成が第一操作受付部の一例であり、第一フレーズの音声入力が第一入力操作の一例である。
【００２７】
シリンジポンプ情報表示画面１２２は、麻酔情報表示画面１２１に重畳表示されうる。しかしながら、本実施形態においては、図２の（Ｂ）に示されるように、シリンジポンプ情報表示画面１２２は、麻酔情報表示画面１２１に重畳することなく表示される。このとき、麻酔情報表示画面１２１のサイズは、シリンジポンプ情報表示画面１２２が表示される前よりも縮小される。
【００２８】
このような構成によれば、シリンジポンプ情報表示画面１２２の表示によって麻酔情報表示画面１２１の視認が妨げられず、麻酔管理と輸液管理の双方を効率よく行なえる。
【００２９】
シリンジポンプ情報表示画面１２２のサイズは、縮小された麻酔情報表示画面１２１のサイズよりも小さいことが好ましい。
【００３０】
縮小された麻酔情報表示画面１２１においては、数値情報の表示が維持されつつ、トレンドグラフの時間軸が短縮されることが好ましい。
【００３１】
図１に示されるように、シリンジポンプ２は、操作受付部２３を備えている。操作受付部２３は、シリンジポンプ２の動作を制御するためのスイッチ群である。当該スイッチ群により制御されるシリンジポンプ２の動作は、輸液の開始および停止、輸液速度の上昇および低下などが例示されうる。当該スイッチ群の少なくとも一つは、ハードウェアスイッチでもよいし、表示装置２２に表示されるタッチ操作可能なスイッチ画像でもよい。
【００３２】
図２の（Ｂ）に示されるように表示装置１２にシリンジポンプ情報表示画面１２２が表示された状態で、シリンジポンプ情報表示画面１２２の一部がタッチ操作されると、図２の（Ｃ）に示されるように、シリンジポンプ情報表示画面１２２が拡大する。シリンジポンプ情報表示画面１２２の一部は第二操作受付部の一例であり、当該タッチ操作は第二入力操作の一例である。図２の（Ｂ）に示されるシリンジポンプ情報表示画面１２２のサイズは第一のサイズの一例であり、図２の（Ｃ）に示されるシリンジポンプ情報表示画面１２２のサイズは第二のサイズの一例である。
【００３３】
拡大されたシリンジポンプ情報表示画面１２２内には、遠隔操作受付部１２３が配置されている。遠隔操作受付部１２３は、タッチ操作可能な複数のスイッチ画像を含んでいる。各スイッチ画像は、シリンジポンプ２の操作受付部２３に含まれるスイッチのいずれかに関連付けられている。すなわち、遠隔操作受付部１２３は、シリンジポンプ２を遠隔制御する操作を受け付ける。
【００３４】
遠隔操作受付部１２３を通じて入力された操作は、不図示のプロセッサなどにより対応する信号に変換され、通信部１３を通じてシリンジポンプ２へ送信される。当該信号は、操作受付部２３を通じて入力される信号と同等とされる。当該信号を受信したシリンジポンプ２は、当該信号に対応する動作を実行する。
【００３５】
このような構成によれば、麻酔器１とシリンジポンプ２が併用される場合において、麻酔医は、麻酔器１の表示装置１２を通じた患者Ｐの麻酔管理を行ないつつ、必要に応じて遠隔操作受付部１２３を操作することによって、シリンジポンプ２の動作を遠隔制御できる。すなわち、麻酔器１による麻酔管理中にシリンジポンプ２を操作するために操作受付部２３の場所まで赴く必要がない。
【００３６】
遠隔操作受付部１２３は、麻酔器１の表示装置１２に常時表示されているのではなく、シリンジポンプ情報表示画面１２２を呼び出した後の所定操作（第二入力操作）によってのみ表示される。シリンジポンプ２の動作状態を確認するのみであれば、シリンジポンプ情報表示画面１２２は、よりサイズの小さい状態のままとされる。したがって、遠隔操作受付部１２３の表示は、麻酔情報表示画面１２１を通じた麻酔管理の妨げにならない。この点においても、麻酔器１とシリンジポンプ２が併用される場合における麻酔医の負担を軽減できる。
【００３７】
なお、麻酔器１における遠隔操作受付部１２３の操作とシリンジポンプ２における操作受付部２３の操作が同時に行なわれた場合は、操作受付部２３の操作が優先されるように構成されうる。
【００３８】
図２の（Ｃ）に示される拡大されたシリンジポンプ情報表示画面１２２のサイズ（第二のサイズ）は、図１に示されるシリンジポンプ２の表示装置２２に表示される動作情報表示画面のサイズと同じでありうる。また、拡大されたシリンジポンプ情報表示画面１２２内の情報レイアウトは、シリンジポンプ２の動作情報表示画面内の情報レイアウトと同じでありうる。
【００３９】
このような構成によれば、麻酔器１からシリンジポンプ２を遠隔制御する場合において、表示装置２２に表示される動作情報表示画面を通じて動作制御が行なわれる場合と同等の操作感を、表示装置１２において麻酔医に提供できる。したがって、麻酔器１による麻酔管理を行ないながらシリンジポンプ２を遠隔制御する際の麻酔医の負担を軽減できる。
【００４０】
この観点に基づけば、拡大されたシリンジポンプ情報表示画面１２２内に配置される遠隔操作受付部１２３のレイアウトは、遠隔制御されるシリンジポンプ２の操作受付部２３のレイアウトと同じであることが好ましい。
【００４１】
前述のように、図２の（Ｂ）に示されるサイズ（第一のサイズ）のシリンジポンプ情報表示画面１２２は、シリンジポンプ情報表示画面１２２を拡大させるタッチ操作（第二入力操作）の受付部を兼ねている。
【００４２】
このような構成によれば、より直観的な操作感を伴うユーザインターフェースを麻酔医に提供できる。特に後述する麻酔器１が複数のシリンジポンプを遠隔制御する場合において、いずれのシリンジポンプが操作対象であるかを直観的に認識できる。
【００４３】
しかしながら、シリンジポンプ情報表示画面１２２を拡大させる操作は、表示装置１２の近傍に設けられたハードウェアスイッチにより入力されてもよい。この場合、当該ハードウェアスイッチが第二操作受付部の一例であり、当該ハードウェアスイッチの押下操作が第二入力操作の一例である。シリンジポンプ情報表示画面１２２の拡大は、所定の第二フレーズを音声入力することによってなされてもよい。この場合、音声入力を受け付ける構成が第二操作受付部の一例であり、第二フレーズの音声入力が第二入力操作の一例である。
【００４４】
拡大されたシリンジポンプ情報表示画面１２２は、麻酔情報表示画面１２１に重畳表示されうる。しかしながら、本実施形態においては、図２の（Ｃ）に示されるように、拡大されたシリンジポンプ情報表示画面１２２は、麻酔情報表示画面１２１に重畳することなく表示される。このとき、麻酔情報表示画面１２１のサイズは、シリンジポンプ情報表示画面１２２が拡大される前よりもさらに縮小される。
【００４５】
このような構成によれば、シリンジポンプ情報表示画面１２２の拡大によって麻酔情報表示画面１２１の視認が妨げられず、麻酔管理と輸液管理の双方を効率よく行なえる。
【００４６】
拡大されたシリンジポンプ情報表示画面１２２のサイズは、さらに縮小された麻酔情報表示画面１２１のサイズよりも小さいことが好ましい。
【００４７】
さらに縮小された麻酔情報表示画面１２１においては、数値情報の表示が維持されつつ、トレンドグラフの時間軸が短縮されることが好ましい。
【００４８】
図２の（Ｃ）に示されるように表示装置１２にシリンジポンプ情報表示画面１２２が拡大表示された状態で、シリンジポンプ情報表示画面１２２の一部がタッチ操作されると、図２の（Ｂ）に示されるように、シリンジポンプ情報表示画面１２２が元のサイズに戻る。拡大されたシリンジポンプ情報表示画面１２２の一部は第三操作受付部の一例であり、当該タッチ操作は第三入力操作の一例である。
【００４９】
あるいは、遠隔操作受付部１２３に操作が入力されない時間が所定値に達した場合、シリンジポンプ情報表示画面１２２は、自動的に元のサイズに戻る。
【００５０】
このような構成によれば、表示装置１２が遠隔操作受付部１２３に占有されている時間を必要最小限にできる。また、遠隔操作受付部１２３に不慮の操作入力がなされる可能性を抑制できる。
【００５１】
前述のように、図２の（Ｃ）に示される拡大されたシリンジポンプ情報表示画面１２２は、シリンジポンプ情報表示画面１２２のサイズを元に戻すタッチ操作（第三入力操作）の受付部を兼ねている。
【００５２】
このような構成によれば、より直観的な操作感を伴うユーザインターフェースを麻酔医に提供できる。特に後述する麻酔器１が複数のシリンジポンプを遠隔制御する場合において、いずれのシリンジポンプが操作対象であるかを直観的に認識できる。
【００５３】
しかしながら、シリンジポンプ情報表示画面１２２のサイズを元に戻す操作は、表示装置１２の近傍に設けられたハードウェアスイッチにより入力されてもよい。この場合、当該ハードウェアスイッチが第三操作受付部の一例であり、当該ハードウェアスイッチの押下操作が第三入力操作の一例である。シリンジポンプ情報表示画面１２２の縮小は、所定の第三フレーズを音声入力することによってなされてもよい。この場合、音声入力を受け付ける構成が第三操作受付部の一例であり、第三フレーズの音声入力が第三入力操作の一例である。
【００５４】
図１に破線で示されるように、麻酔器１は、複数のシリンジポンプ２との通信が可能とされうる。本例においては、第一シリンジポンプ２Ａ、第二シリンジポンプ２Ｂ、および第三シリンジポンプ２Ｃの三台との通信が可能とされている。シリンジポンプ２が静脈麻酔薬の投与器として用いられる場合、複数のシリンジポンプ２が用いられることが一般的である。例えば、第一シリンジポンプ２Ａは、鎮静薬を投与するために用いられうる。第二シリンジポンプ２Ｂは、鎮痛薬を投与するために用いられうる。第三シリンジポンプ２Ｃは、筋弛緩薬を投与するために用いられうる。
【００５５】
複数のシリンジポンプ２は、上下方向に並ぶようにラックに支持されることが一般的である。本例においては、第一シリンジポンプ２Ａは、第二シリンジポンプ２Ｂの上方に配置されている。第二シリンジポンプ２Ｂは、第三シリンジポンプ２Ｃの上方に配置されている。
【００５６】
このような構成においては、図２の（Ｂ）に示されるように、呼出スイッチ１４の操作によって表示されるシリンジポンプ情報表示画面１２２は、第一領域１２２Ａ、第二領域１２２Ｂ、および第三領域１２２Ｃを含む。
【００５７】
第一領域１２２Ａは、第一シリンジポンプ２Ａの表示装置２２に表示される動作表示画面に含まれる情報の少なくとも一部を含んでいる。すなわち、第一領域１２２Ａは、第一シリンジポンプ２Ａの動作情報を示す。
【００５８】
第二領域１２２Ｂは、第二シリンジポンプ２Ｂの表示装置２２に表示される動作表示画面に含まれる情報の少なくとも一部を含んでいる。すなわち、第二領域１２２Ｂは、第二シリンジポンプ２Ｂの動作情報を示す。
【００５９】
第三領域１２２Ｃは、第三シリンジポンプ２Ｃの表示装置２２に表示される動作表示画面に含まれる情報の少なくとも一部を含んでいる。すなわち、第三領域１２２Ｃは、第三シリンジポンプ２Ｃの動作情報を示す。
【００６０】
具体的には、麻酔器１は、第一シリンジポンプ２Ａの動作表示画面に表示される情報に対応するデータを、通信部１３を通じて第一シリンジポンプ２Ａから取得する。当該データは不図示のプロセッサなどにより処理され、第一領域１２２Ａにおいて可視化される。
【００６１】
同様に、麻酔器１は、第二シリンジポンプ２Ｂの動作表示画面に表示される情報に対応するデータを、通信部１３を通じて第二シリンジポンプ２Ｂから取得する。当該データは不図示のプロセッサなどにより処理され、第二領域１２２Ｂにおいて可視化される。
【００６２】
同様に、麻酔器１は、第三シリンジポンプ２Ｃの動作表示画面に表示される情報に対応するデータを、通信部１３を通じて第三シリンジポンプ２Ｃから取得する。当該データは不図示のプロセッサなどにより処理され、第三領域１２２Ｃにおいて可視化される。
【００６３】
シリンジポンプ情報表示画面１２２内において、第一領域１２２Ａは、第二領域１２２Ｂよりも上方に配置されている。第二領域１２２Ｂは、第三領域１２２Ｃよりも上方に配置されている。すなわち、第一シリンジポンプ２Ａ、第二シリンジポンプ２Ｂ、および第三シリンジポンプ２Ｃの配列順序が、シリンジポンプ情報表示画面１２２内の第一領域１２２Ａ、第二領域１２２Ｂ、および第三領域１２２Ｃの配列順序に反映されている。
【００６４】
このような構成によれば、麻酔器１と複数のシリンジポンプ２を併用する場合において、複数のシリンジポンプ２の各表示装置２２を確認する作業状態を、違和感なく麻酔器１の表示装置１２上に再現できる。したがって、麻酔医の負担を軽減できる。
【００６５】
図２の（Ｂ）に示されるように表示装置１２にシリンジポンプ情報表示画面１２２が表示された状態で、第一領域１２２Ａ、第二領域１２２Ｂ、および第三領域１２２Ｃのいずれかがタッチ操作されると、図２の（Ｃ）に示されるように、シリンジポンプ情報表示画面１２２が拡大する。
【００６６】
拡大されたシリンジポンプ情報表示画面１２２において、第一領域１２２Ａ、第二領域１２２Ｂ、および第三領域１２２Ｃの各々も拡大される。拡大された第一領域１２２Ａは、第一遠隔操作受付部１２３Ａを含んでいる。第一遠隔操作受付部１２３Ａは、第一シリンジポンプ２Ａを遠隔制御する操作を受け付ける。拡大された第二領域１２２Ｂは、第二遠隔操作受付部１２３Ｂを含んでいる。第二遠隔操作受付部１２３Ｂは、第二シリンジポンプ２Ｂを遠隔制御する操作を受け付ける。拡大された第三領域１２２Ｃは、第三遠隔操作受付部１２３Ｃを含んでいる。第三遠隔操作受付部１２３Ｃは、第三シリンジポンプ２Ｃを遠隔制御する操作を受け付ける。
【００６７】
図３の（Ａ）に示されるように、麻酔器１は、選択スイッチ１５を備えうる。選択スイッチ１５は、第一領域１２２Ａ、第二領域１２２Ｂ、および第三領域１２２Ｃのいずれかを選択する操作を受け付ける。例えば、初期状態で第一領域１２２Ａが選択されている場合に選択スイッチ１５が押下されると、図３の（Ｂ）に示されるように、第二領域１２２Ｂが選択されている状態に切り替わる。この状態で選択スイッチ１５が押下されると、図３の（Ｃ）に示されるように、第三領域１２２Ｃが選択されている状態に切り替わる。この状態で選択スイッチ１５が押下されると、第一領域１２２Ａが選択されている状態に戻る。選択スイッチ１５は、選択操作受付部の一例である。
【００６８】
選択状態にある領域は、非選択状態にある領域よりも相対的に目立つように、様々な態様で特定されうる。図３に示されるように非選択状態にある領域がグレイアウト表示されてもよいし、選択状態にある領域がハイライト表示されてもよい。
【００６９】
麻酔器１は、非選択状態にある領域を通じてのシリンジポンプ２の遠隔操作入力を禁止するように構成されうる。このような動作は、麻酔器１が備えている不図示のプロセッサなどによる制御処理として実現されうる。例えば図３の（Ａ）に示されるように、第一領域１２２Ａが選択状態にある場合、グレイアウト表示されている第二領域１２２Ｂに含まれる第二遠隔操作受付部１２３Ｂを通じた第二シリンジポンプ２Ｂの遠隔制御は不能とされる。同様に、グレイアウト表示されている第三領域１２２Ｃに含まれる第三遠隔操作受付部１２３Ｃを通じた第三シリンジポンプ２Ｃの遠隔制御は不能とされる。
【００７０】
このような構成によれば、麻酔器１と複数のシリンジポンプ２を併用する場合において、操作対象であるシリンジポンプ２を明確に特定できるだけでなく、操作対象でないシリンジポンプ２が誤って操作される可能性を排除できる。
【００７１】
本例においては、選択スイッチ１５は、表示装置１２の近傍に配置されたハードウェアスイッチである。しかしながら、選択スイッチ１５は、表示装置１２に表示されるタッチ操作可能なスイッチ画像として提供されうる。この場合、当該スイッチ画像が選択操作受付部の一例である。遠隔制御の対象となるシリンジポンプ２の切り替えは、所定のフレーズを音声入力することによってなされてもよい。この場合、音声入力を受け付ける構成が選択操作受付部の一例である。
【００７２】
図１に示されるように、第一シリンジポンプ２Ａは、第一操作スイッチ２４Ａを備えうる。第一操作スイッチ２４Ａは、プッシュ操作とダイヤル操作の少なくとも一方を入力可能なスイッチとして提供されうる。第一操作スイッチ２４Ａを通じて入力される所定の操作により、第一シリンジポンプ２Ａは所定の操作を行なうように構成されうる。
【００７３】
同様に、第二シリンジポンプ２Ｂは、第二操作スイッチ２４Ｂを備えうる。第二操作スイッチ２４Ｂは、プッシュ操作とダイヤル操作の少なくとも一方を入力可能なスイッチとして提供されうる。第二操作スイッチ２４Ｂを通じて入力される所定の操作により、第二シリンジポンプ２Ｂは所定の操作を行なうように構成されうる。
【００７４】
同様に、第三シリンジポンプ２Ｃは、第三操作スイッチ２４Ｃを備えうる。第三操作スイッチ２４Ｃは、プッシュ操作とダイヤル操作の少なくとも一方を入力可能なスイッチとして提供されうる。第三操作スイッチ２４Ｃを通じて入力される所定の操作により、第三シリンジポンプ２Ｃは所定の操作を行なうように構成されうる。
【００７５】
麻酔器１は、共通操作スイッチ１６を備えうる。共通操作スイッチ１６は、プッシュ操作とダイヤル操作の少なくとも一方を入力可能なスイッチとして提供されうる。図３の（Ａ）に示されるように選択スイッチ１５を通じて第一領域１２２Ａが選択されているとき、共通操作スイッチ１６は、第一領域１２２Ａに対応する第一シリンジポンプ２Ａに設けられた第一操作スイッチ２４Ａと同じ機能を有する。
【００７６】
この状態で共通操作スイッチ１６を通じて操作が入力されると、麻酔器１が備えている不図示のプロセッサは、当該操作に対応する信号を、通信部１３を通じて第一シリンジポンプ２Ａへ選択的に送信する。当該信号を受信した第一シリンジポンプ２Ａは、共通操作スイッチ１６を通じて入力された操作に対応する動作を行なう。
【００７７】
図３の（Ｂ）に示されるように選択スイッチ１５を通じて第二領域１２２Ｂが選択されているとき、共通操作スイッチ１６は、第二領域１２２Ｂに対応する第二シリンジポンプ２Ｂに設けられた第二操作スイッチ２４Ｂと同じ機能を有する。
【００７８】
この状態で共通操作スイッチ１６を通じて操作が入力されると、麻酔器１が備えている不図示のプロセッサは、当該操作に対応する信号を、通信部１３を通じて第二シリンジポンプ２Ｂへ選択的に送信する。当該信号を受信した第二シリンジポンプ２Ｂは、共通操作スイッチ１６を通じて入力された操作に対応する動作を行なう。
【００７９】
図３の（Ｃ）に示されるように選択スイッチ１５を通じて第三領域１２２Ｃが選択されているとき、共通操作スイッチ１６は、第三領域１２２Ｃに対応する第三シリンジポンプ２Ｃに設けられた第三操作スイッチ２４Ｃと同じ機能を有する。
【００８０】
この状態で共通操作スイッチ１６を通じて操作が入力されると、麻酔器１が備えている不図示のプロセッサは、当該操作に対応する信号を、通信部１３を通じて第三シリンジポンプ２Ｃへ選択的に送信する。当該信号を受信した第三シリンジポンプ２Ｃは、共通操作スイッチ１６を通じて入力された操作に対応する動作を行なう。
【００８１】
このような構成によれば、麻酔器１に設けられる操作スイッチの数を必要最小限に抑えつつ、複数のシリンジポンプ２の遠隔操作を可能にできる。
【００８２】
上記の実施形態は、本発明の理解を容易にするための例示にすぎない。上記の実施形態に係る構成は、本発明の趣旨を逸脱しなければ、適宜に変更・改良されうる。
【００８３】
上記の実施形態においては、麻酔器１と複数のシリンジポンプ２が通信可能である場合において、シリンジポンプ情報表示画面１２２に含まれる第一領域１２２Ａ、第二領域１２２Ｂ、および第三領域１２２Ｃのいずれかがタッチ操作されると、シリンジポンプ情報表示画面１２２の全体が拡大される。換言すると、当該タッチ操作により、第一領域１２２Ａ、第二領域１２２Ｂ、および第三領域１２２Ｃの全てが拡大される。しかしながら、図４に示される表示態様もまた採用されうる。
【００８４】
図４の（Ａ）は、呼出スイッチ１４の操作により、第一領域１２２Ａ、第二領域１２２Ｂ、および第三領域１２２Ｃを含むシリンジポンプ情報表示画面１２２が表示された状態を示している。この状態から第一領域１２２Ａがタッチ操作されると、図４の（Ｂ）に示されるように、第一領域１２２Ａのみが第一遠隔操作受付部１２３Ａを含むように拡大される。このとき、第二領域１２２Ｂと第三領域１２２Ｃは、グレイアウト表示されてもよい。
【００８５】
図４の（Ｂ）に示される状態から第二領域１２２Ｂがタッチ操作されると、図４の（Ｃ）に示されるように、第二領域１２２Ｂのみが第二遠隔操作受付部１２３Ｂを含むように拡大される。このとき、第一領域１２２Ａと第三領域１２２Ｃは、グレイアウト表示されてもよい。第三領域１２２Ｃについても同じ説明が適用されうる。
【００８６】
このような構成によっても、麻酔器１と複数のシリンジポンプ２を併用する場合において、操作対象であるシリンジポンプ２を明確に特定できるだけでなく、操作対象でないシリンジポンプ２が誤って操作される可能性を排除できる。この場合、第一領域１２２Ａ、第二領域１２２Ｂ、および第三領域１２２Ｃの各々が、選択操作受付部の一例である。
【００８７】
上記の実施形態においては、麻酔器１と通信可能なシリンジポンプ２が一台の場合と三台の場合が例示された。しかしながら、麻酔器１を通じた麻酔管理と並行して行なわれる輸液管理の内容に応じて、麻酔器１と通信可能なシリンジポンプ２は、二台でもよいし、四台以上でもよい。
【００８８】
上記の実施形態におけるシリンジポンプ２に係る説明は、麻酔管理や輸液管理に用いられる適宜の外部機器にも適用されうる。
【符号の説明】
【００８９】
１：麻酔器、１２：表示装置、１２１：麻酔情報表示画面、１２２：シリンジポンプ情報表示画面、１２２Ａ：第一領域、１２２Ｂ：第二領域、１２２Ｃ：第三領域、１２３：遠隔操作受付部、１３：通信部、１４：呼出スイッチ、１５：選択スイッチ、１６：共通操作スイッチ、２：シリンジポンプ、２Ａ：第一シリンジポンプ、２Ｂ：第二シリンジポンプ、２Ｃ：第三シリンジポンプ、２２：表示装置、２３：操作受付部、２４Ａ：第一操作スイッチ、２４Ｂ：第二操作スイッチ、２４Ｃ：第三操作スイッチ
【図１】
2019111200.tif 000003
【図２】
2019111200.tif 000004
【図３】
2019111200.tif 000005
【図４】
2019111200.tif 000006